(57)【要約】【課題】ＰＣ部材同士を接合する際に、ＰＣ部材同士のずれを防止するとともに、ずれが生じた場合に容易に修正を可能とする簡便な修正治具を提供する。【解決手段】梁部材１と柱部材２との間に充填材を充填して両部材を接合する接合構造における、両部材の相対位置を修正する修正治具１０である。柱部材２の下部側面に剛結された上側アンカー部材１１と、この上側アンカー部材１１の周囲に配設され梁部材１の上面に剛結された下側アンカー部材１５と、この下側アンカー部材１５に支持され該下側アンカー部材１５を介して梁部材１から反力をとり、上側アンカー部材１１の側面を押圧する押圧手段３０とからなるので、梁部材１の上面に剛結された下側アンカー部材１５を介して梁部材１から反力をとり、柱部材１の下部側面に剛結された上側アンカー部材１１を押圧手段３０により押圧することにより、両部材の相対位置を修正することができる。【選択図】図１
2005194749.tif 000002
【特許請求の範囲】
【請求項１】
下側部材と上側部材との間に充填材を充填して両部材を接合する接合構造における、両部材の相対位置を修正する修正治具であって、上側部材の下部側面に剛結された上側アンカー部材と、この上側アンカー部材の周囲に配設され下側部材の上面に剛結された下側アンカー部材と、下側アンカー部材に支持され該下側アンカー部材を介して下側部材から反力をとり、上側アンカー部材の側面を押圧する押圧手段とからなることを特徴とする修正治具。
【請求項２】
前記下側アンカー部材は水平断面コ字形に形成される３つの支持板を有し、前記押圧手段は前記３つの支持板にそれぞれ螺合する押圧ボルトであり、前記上側アンカー部材は、前記３つの支持板とそれぞれ平行に設けられるとともに前記各押圧ボルトにより押圧される３つの受圧板を有することを特徴とする請求項１に記載の修正治具。
【発明の詳細な説明】
【技術分野】
【０００１】
本発明は、建物を構成する部材同士の継手における相対位置のずれを防止し修正する修正治具に関する。
【背景技術】
【０００２】
コンクリート構造物の構築工法は、特に高層建築物等においては、コンクリートを現場で打設する在来工法から、予め工場等で作成されたプレキャストコンクリート製の部材（以下、ＰＣ部材）を現場で配設し、これらの接合部にコンクリートを現場打設して架構を形成するプレキャスト化工法に代わりつつある。
【０００３】
ＰＣ部材同士の接合方法としては、例えば図７に示すように、梁部材１の柱部材２との接合面から主筋３を突出させるとともに、柱部材２の梁部材１との接合面に主筋３を挿入する筒状の挿入孔４を設け、挿入孔４に主筋３を挿入するとともに、主筋３と挿入孔４の内側面との間にモルタル等の充填材５を充填することで、柱部材２と梁部材１とを接合する構造が知られている（例えば、特許文献１参照）。
【０００４】
ところで、柱部材の上部に大梁、小梁、床板などの上部部材が配設されると、柱部材が梁部材に対して水平方向に変位し、位置のずれが生じることがある。特に建物外周部の柱部材は、下部が外側へ変位することが多い。この場合には、レバーブロックやジャッキ等を用いて柱部材の水平位置を修正していた。
【０００５】
また、梁部材と柱部材との接続面に、垂直精度を調整する建て入れ調整治具をそれぞれ設けるものもある（例えば、特許文献２参照）。この建て入れ調整治具を用いて垂直精度とともに水平位置のずれ防止を行うことも考えられる。
【特許文献１】特開平１０−１４７９７８号公報（図１、図２）
【特許文献２】特開平９−３１７１８８号公報
【発明の開示】
【発明が解決しようとする課題】
【０００６】
しかし、レバーブロックやジャッキ等を用いて水平位置を修正するのは難しく、部材の一部に応力が集中した場合には、部材が破損する恐れがあった。このため水平位置の修正を慎重に行うために時間と労力を要し、建設コストを高くしていた。
【０００７】
梁部材と柱部材との接続面に、垂直精度を調整する建て入れ調整治具をそれぞれ設ける場合には、取り付け作業が煩雑である。また、梁部材と柱部材との接続面が平滑でなくてならないため、継手を後から設けなくてならない。
【０００８】
本発明の課題は、ＰＣ部材同士を接合する際に、ＰＣ部材同士のずれを防止するとともに、ずれが生じた場合に容易に修正を可能とする簡便な修正治具を提供することである。
【課題を解決するための手段】
【０００９】
以上の課題を解決するため、本発明の請求項１に記載の発明は、図１または図２に示すように、下側部材（梁部材１）と上側部材（柱部材２）との間に充填材を充填して両部材を接合する接合構造における、両部材の相対位置を修正する修正治具１０であって、上側部材の下部側面に剛結された上側アンカー部材１１と、この上側アンカー部材１１の周囲に配設され下側部材の上面に剛結された下側アンカー部材１５と、この下側アンカー部材１５に支持され該下側アンカー部材１５を介して下側部材から反力をとり、上側アンカー部材１１の側面を押圧する押圧手段３０とからなることを特徴とする。
【００１０】
請求項１に記載の発明によれば、下側部材の上面に剛結された下側アンカー部材１５を介して下側部材から反力をとり、上側部材の下部側面に剛結された上側アンカー部材１１を押圧手段３０により押圧することにより、両部材の相対位置を修正することができる。
【００１１】
請求項２に記載の発明は、請求項１に記載の修正治具１０であって、前記下側アンカー部材１５は水平断面コ字形に形成される３つの支持板を有し、前記押圧手段３０は３つの支持板１８ａ、１８ｂ、１８ｃにそれぞれ螺合する押圧ボルト３０ａ、３０ｂ、３０ｃであり、前記上側アンカー部材１１は、前記３つの支持板１８ａ、１８ｂ、１８ｃとそれぞれ平行に設けられるとともに前記各押圧ボルト３０ａ、３０ｂ、３０ｃにより押圧される３つの受圧板１４ａ、１４ｂ、１４ｃを有することを特徴とする。
【００１２】
請求項２に記載の発明によれば、下側アンカー部材１５が水平断面コ字形に形成される３つの支持板を有し、押圧手段が前記３つの支持板にそれぞれ螺合する押圧ボルト３０ａ、３０ｂ、３０ｃであり、上側アンカー部材１１が、３つの支持板１８ａ、１８ｂ、１８ｃとそれぞれ平行に設けられるとともに各押圧ボルト３０ａ、３０ｂ、３０ｃにより押圧される３つの受圧板１４ａ、１４ｂ、１４ｃを有するので、上側部材を下側部材に対して前後左右のいずれか３方向に動かすことができる。
【発明の効果】
【００１３】
請求項１に記載の発明によれば、下側部材の上面に剛結された下側アンカー部材を介して下側部材から反力をとり、上側部材の下部側面に剛結された上側アンカー部材を押圧手段により押圧することにより、両部材の相対位置を修正することができる。
【００１４】
請求項２に記載の発明によれば、下側アンカー部材が水平断面コ字形に形成される３つの支持板を有し、押圧手段が前記３つの支持板にそれぞれ螺合する押圧ボルトであり、上側アンカー部材が、３つの支持板とそれぞれ平行に設けられるとともに各押圧ボルトにより押圧される３つの受圧板を有するので、上側部材を下側部材に対して前後左右のいずれか３方向に動かすことができる。
【発明を実施するための最良の形態】
【００１５】
以下、本発明の実施の形態について詳細に説明する。図１、２は、ＰＣ部材からなる梁部材１と、同じくＰＣ部材からなり、断面四角形状の柱部材２との接合部の構造を示す図である。図１、２において、梁部材１は建物の外周部でスラブ直上に配置される逆梁となり、柱部材２は外周部柱を構成する。梁部材１の建物外側面１ａと柱部材２の建物外側面２ａは同一平面となるように配置する。
【００１６】
柱部材２は梁部材１の上に鉛直に設けられている。なお、柱部材２は梁部材１よりも太いため、建物内側に突出して配置されており、梁部材１の柱部材２との接合部もそれに合わせて建物内側に突出した形状をしている。
【００１７】
本発明の実施の形態の修正治具１０は、柱部材２の下端部の、梁部材１の軸方向の側面に、柱部材２を挟んで対向して設けられている。なお図１においては、１対の修正治具１０が設けられているが、複数対設けてもよく、その数は柱の太さ、高さ、重さ等により任意に変更可能である。
【００１８】
各修正治具１０は、上側アンカー部材１１と、下側アンカー部材１５と、押圧手段３０とを必須の構成要素とする。上側アンカー部材１１は、図３、４に示すように、柱部材２の下端部側面に設けられている。上側アンカー部材１１は、上側固定ボルト１２と、上側固定板１３と、受圧部１４とからなる。
【００１９】
上側固定ボルト１２は上側アンカー部材１１を柱部材２に剛結している。上側固定板１３は、上側固定ボルト１２により、柱部材２に剛結されるとともに、受圧部１４と接合されている。
【００２０】
受圧部１４は角筒状の形状をしており、後述する押圧ボルト支持部１８に囲まれている。その一つの面は上側固定板１３と接合されるとともに、他の面は後述する押圧ボルト３０ａ、３０ｂ、３０ｃによりそれぞれ押圧される受圧板１４ａ、１４ｂ、１４ｃとなっている。受圧板１４ａは建物内側寄りに設けられており、受圧板１４ｂは建物外側寄りに設けられている。受圧板１４ｃは上側固定板１３と平行に設けられており、受圧板１４ａ、１４ｂの柱部材２から遠い端部同士を接続している。
【００２１】
下側アンカー部材１５は、図５、６に示すように、上側アンカー部材１１の周囲に配設されるとともに、梁部材１の上面に剛結されている。下側アンカー部材１５は、下側固定ボルト１６と、下側固定板１７と、押圧ボルト支持部１８とからなる。
【００２２】
下側固定ボルト１６は下側固定板１７を梁部材１に剛結している。下側固定板１７は、下側固定ボルト１６により、梁部材１に剛結されるとともに、押圧ボルト支持部１８の下部と接合されている。
【００２３】
押圧ボルト支持部１８は３つの支持板１８ａ、１８ｂ、１８ｃからなり、水平断面コ字形の形状をしており、その内部に上側アンカー部材１１が位置するように配設されている。各支持板１８ａ、１８ｂ、１８ｃには、後述する押圧ボルト３０ａ、３０ｂ、３０ｃがそれぞれ垂直に螺合している。
【００２４】
押圧手段３０は、建物内側寄りの押圧ボルト３０ａ、建物外側寄りの押圧ボルト３０ｂと、押圧ボルト３０ａ、３０ｂの中間に設けられた押圧ボルト３０ｃとからなる。各押圧ボルト３０ａ、３０ｂ、３０ｃは、支持板１８ａ、１８ｂ、１８ｃにそれぞれ螺合して支持されている。
【００２５】
押圧ボルト３０ａ、３０ｂは、梁部材１及び柱部材２に垂直に設けられている。押圧ボルト３０ｃは梁部材１の軸方向に設けられている。
【００２６】
押圧ボルト３０ａ、３０ｂ、３０ｃの、押圧ボルト支持部１８よりも外側の端部には、ラチェット等と係合する頭部３１ａ、３１ｂ、３１ｃが設けられている。押圧ボルト３０ａ、３０ｂ、３０ｃは押圧ボルト支持部１８を構成する３つの支持板１８ａ、１８ｂ、１８ｃにそれぞれ螺合しているため、頭部３１ａ、３１ｂ、３１ｃにラチェット等を係合させて径方向に回転させることにより、軸方向に移動させることができる。
【００２７】
次に、修正治具１０の使用方法について説明する。プレキャスト化工法においては、図示された部分よりも上部に大梁、小梁、床板などの上部部材が配設されるが、それに伴い、柱部材２の水平位置が梁部材１に対して変位する。本発明の修正治具１０はこのずれを修正し、柱部材２を正しい位置に戻す。
【００２８】
まず、柱部材２に上側アンカー部材１１を下側固定ボルト１６で剛結するとともに、梁部材１に下側アンカー部材１５を下側固定ボルト１６で剛結する。このとき押圧ボルト３０ａ、３０ｂ、３０ｃは、押圧ボルト支持部１８の最外方へ配置する。
【００２９】
次いで、押圧ボルト３０ａ、３０ｂ、３０ｃを径方向に回転させ、その先端で受圧板１４ａ、１４ｂ、１４ｃのいずれかを押圧し、柱部材２の位置を修正する。このとき、２つの押圧ボルト３０ａ、及び押圧ボルト３０ｂは連動させる。押圧ボルト３０ａを建物の外側方向へ前進（後退）させる時は、押圧ボルト３０ｂを建物の外側方向へ後退（前進）させる。また、２つの押圧ボルト３０ｃ同士も連動させ、一方の押圧ボルト３０ｃを柱部材２に近づく方向へ前進させる時は、他方の押圧ボルト３０ｃを柱部材２から遠ざかる方向へ後退させる。このようにして、柱部材２がいずれの方向にずれた場合でも、柱部材２の水平位置を修正することができる。
【００３０】
柱部材２の水平位置を修正したら、押圧手段３０を固定することで、梁部材１と柱部材２との位置ずれを防止することができる。建物架構を組み終えたら、修正治具１０を撤去し、梁部材１と柱部材２との隙間にモルタル等の充填材を充填する。以上のようにして、梁部材１と柱部材２とを接合することができる。
【００３１】
なお、以上の実施の形態においては、建物の外周部における逆梁と外周部柱を構成する梁部材１と柱部材２との接合部について説明したが、本発明はこれに限らず、任意の場所について適用することができる。また、柱部材２は断面四角形状の場合に限らず、円柱状の場合や、断面多角形状の場合にも適用することができる。
【００３２】
また、本発明の修正治具１０は梁部材１と柱部材２との接合部に限らず、例えば梁部材１と壁状の上側部材との接合部や、壁状の下側部材と壁状の上側部材との接合部にも適用することができる。
【００３３】
また、押圧手段３０の代わりに油圧ジャッキを用いるなど、任意の押圧手段を用いてもよいし、上側アンカー部材１１や下側アンカー部材１５の形状等についても任意であることはもちろんである。
【図面の簡単な説明】
【００３４】
【図１】本発明の実施の形態の修正治具１０を示す図であり、斜視図である。
【図２】同、平面図である。
【図３】図１、２の修正治具１０を構成する上側アンカー部材１１を示す図であり、立面図である。
【図４】同、平面図である。
【図５】図１、２の修正治具１０を構成する下側アンカー部材１５及び押圧手段３０を示す図であり、立面図である。
【図６】同、平面図である。
【図７】ＰＣ部材同士の継手構造を示す立面図である。
【符号の説明】
【００３５】
１     梁部材
２     柱部材
１０   修正治具
１１   上側アンカー部材
１４ａ、１４ｂ、１４ｃ      受圧板
１５   下側アンカー部材
１８ａ、１８ｂ、１８ｃ      支持板
３０   押圧手段
３０ａ、３０ｂ、３０ｃ      押圧ボルト
【図１】
2005194749.tif 000003
【図２】
2005194749.tif 000004
【図３】
2005194749.tif 000005
【図４】
2005194749.tif 000006
【図５】
2005194749.tif 000007
【図６】
2005194749.tif 000008
【図７】
2005194749.tif 000009